(57)【要約】【課題】適切な焦点状態の画像を得ることができる撮像装置を提供する。【解決手段】取得した画像の位相差から焦点位置を検出する焦点検出手段で検出された焦点位置に対して複数の焦点位置において画像を撮像する場合は、撮像の際に撮像画像を抽出し、抽出した前記撮像画像のコントラストを判定する（Ｓ３００〜Ｓ３５０）。【選択図】図７
2006303966.tif 000002
【特許請求の範囲】
【請求項１】
取得した画像の位相差から焦点位置を検出する焦点検出手段で検出された焦点位置に対して複数の焦点位置において画像を撮像する場合は、撮像の際に撮像画像を抽出し、抽出した前記撮像画像のコントラストを判定することを特徴とする撮像装置。
【請求項２】
前記判定は、抽出された前記撮像画像のコントラストが最大となる画像であることの判定であることを特徴とする請求項１に記載の撮像装置。
【請求項３】
撮像の際に使用した前記焦点検出手段の焦点検出領域での撮像画像を抽出し、当該焦点検出領域での撮像画像のコントラストを判定することを特徴とする請求項１または２に記載の撮像装置。
【請求項４】
前記判定の判定結果に応じて画像を保存することを特徴とする請求項１〜３のいずれかに記載の撮像装置。
【請求項５】
前記判定の判定結果に応じて画像を記憶媒体に保存することを特徴とする請求項１〜３のいずれかに記載の撮像装置。
【請求項６】
前記撮像装置は更に表示部を有し、
前記判定の判定結果を前記表示部に表示することを特徴とする請求項１〜５のいずれかに記載の撮像装置。
【請求項７】
前記判定の判定結果を当該画像情報に付加して記憶媒体に保存することを特徴とする請求項１〜５のいずれかに記載の撮像装置。
【請求項８】
取得した画像の位相差から焦点位置を検出する焦点検出手段で検出された焦点位置に対して複数の焦点位置において画像を撮像する場合は、撮像の際に撮像画像を抽出し、抽出された前記撮像画像のコントラストを判定することを特徴とする撮像装置の制御方法。
【発明の詳細な説明】
【技術分野】
【０００１】
本発明は、焦点検出手段で検出された焦点位置に対して複数のピント位置に焦点状態を変化させ、複数の画像を撮像することが可能に構成された撮像装置および該撮像装置の制御方法に関するものである。
【背景技術】
【０００２】
従来、一度の撮影で複数の焦点状態での画像を撮影する撮像装置が提案されている（特許文献１参照）。
【０００３】
また、特許文献２に開示されているように、複数のデジタル画像を読み込み、その画像の中からプリント画像の抽出を行うために焦点評価値などの情報を用いて、画像の選択を行うものが知られている。
【特許文献１】特開平７−１３１６９８号公報
【特許文献２】特開２００２−１０１７９号公報
【発明の開示】
【発明が解決しようとする課題】
【０００４】
しかしながら、特許文献１に開示の撮像装置では、複数の画像を撮像するだけなので、撮影後に、どれが最適な画像であるかの判断をするのが困難であった。
【０００５】
また、特許文献２に開示の撮像装置においては、複数のデジタル画像からプリントに適している画像の抽出を行うのみであり、撮影された画像の中よりプリントに値しない画像の排除を行うことは出来ても、最適な焦点状態の画像を得ることはできなかった。
【０００６】
（発明の目的）
本発明の第１の目的は、適切な焦点状態の画像を得ることのできる撮像装置および該撮像装置の制御方法を提供しようとするものである。
【０００７】
本発明の第２の目的は、上記第１の目的を達成すると共に、画像の記録時間の短縮、および、無駄な画像記録の排除を図ることのできる撮像装置を提供しようとするものである。
【０００８】
本発明の第３の目的は、上記第１の目的を達成すると共に、画像選択の効率化を図ることのできる撮像装置を提供しようとするものである。
【課題を解決するための手段】
【０００９】
上記第１の目的を達成するために、請求項１に記載の発明は、取得した画像の位相差から焦点位置を検出する焦点検出手段で検出された焦点位置に対して複数の焦点位置において画像を撮像する場合は、撮像の際に撮像画像を抽出し、抽出した前記撮像画像のコントラストを判定する撮像装置とするものである。
【００１０】
上記第２の目的を達成するために、請求項４に記載の発明は、前記判定の判定結果に応じて画像を保存する請求項１〜３のいずれかに記載の撮像装置とするものである。
【００１１】
上記第３の目的を達成するために、請求項７に記載の発明は、前記判定の判定結果を当該画像情報に付加して記憶媒体に保存する請求項１〜５のいずれかに記載の撮像装置とするものである。
【００１２】
また、上記第１の目的を達成するために、請求項８に記載の発明は、取得した画像の位相差から焦点位置を検出する焦点検出手段で検出された焦点位置に対して複数の焦点位置において画像を撮像する場合は、撮像の際に撮像画像を抽出し、抽出された前記撮像画像のコントラストを判定する撮像装置の制御方法とするものである。
【発明の効果】
【００１３】
本発明によれば、適切な焦点状態の画像を得ることができる撮像装置を提供できるものである。
【発明を実施するための最良の形態】
【００１４】
本発明を実施するための最良の形態は、以下に記載の実施例に示す通りである。
【実施例】
【００１５】
図１は本発明の一実施例に係わる撮像システムの概略を示す構成図である。図１において、１００は撮像装置であり、以下の１０１〜１１６の部材を有している。１０１はファインダ光学系を構成する正立正像光学系、１０２は接眼レンズである。１０３はファインダスクリーン、１０４は撮像光束をファインダ光学系に偏向するミラーである。１０５は撮像光束を後述する焦点検出装置に対して偏向するミラーである。１０６は撮像装置１００の撮像を司る撮像素子、１０７は撮像素子１０６を遮光するシャッタ装置、１０８は撮像装置１００の内部に収納されている内蔵ストロボである。１０９は複数の受光部（受光手段）を有し、公知の位相差検出方式にて焦点検出を行う焦点検出装置である。１１０は撮像装置１００の露出の測定を行う測光装置、１１１は測光装置１１０に被写体光束を結像させるレンズ、１１２は撮像装置１００の制御を司る撮像制御回路である。１１３は後述の外部ストロボ等を装着するためのアクセサリシューである。１１４は内蔵ストロボ１０８のフレネルレンズ、１１５は撮像装置１００に設けられている光学フアインダに情報を重ねて表示するファインダ表示部、１１６は撮像装置１００の外部に各種情報を表示するための外部表示部である。
【００１６】
２００は撮影光学系である交換式のレンズであり、以下の２０１〜２０３の部材を有している。２０１は撮像装置１００の通信部と通信を行うレンズ制御回路、２０２は撮像を行うためのレンズであり、２０３は光量調節を行う絞り装置である。
【００１７】
３００はレンズ２００に装着されるレンズフードであり、内部に該レンズフード３００の情報を記録するフード情報記録回路３０１を有している。
【００１８】
４００は照明手段である外部ストロボであり、以下の４０１〜４０６の部材を有している。４０１は外部ストロボ４００を制御する外部ストロボ制御回路、４０２は発光部、４０３は発光部４０２の光束を被写界側に反射する反射傘である。４０４は反射傘４０３で反射された光束の配光を制御するストロボパネル、４０５は撮像装置１００のアクセサリシュー１１３に装着するための取付部、４０６は外部ストロボ４００に設けられている赤外補助光部である。
【００１９】
本実施例の撮像装置１００はブラケット撮像モードを設定可能であり、該ブラケット撮像モードが設定されている場合、焦点検出装置１０９で検出された焦点位置に対して、レンズ２０２の焦点位置を複数設定した状態で、複数の画像を撮像素子１０６で取得し、該撮像素子１０６で取得した画像より、最適な画像を判定し、交換可能な記憶媒体に撮像データと共に保存するように構成されている。
【００２０】
図２は、上記撮像システムの各部（撮像装置１００、レンズ２００、レンズフード３００及び外部ストロボ４００）の回路構成を示すブロック図である。
【００２１】
図２において、撮像装置１００は、以下の１〜１５に示す構成要素を具備している。１は撮像装置１００の制御を司るマイクロプロセッサ、２は撮像装置１００の可動部分の駆動を行うためのモータ駆動回路、３は被写体の輝度を測定するための測光装置（図１の測光装置１１０に相当）、４はレンズ２００の焦点状態を検出する焦点検出装置（図１の焦点検出装置１０９に相当）である。６は撮像装置１００の露光量の制御を行うシャッタ制御回路であり、図１のシャッタ装置１０７に含まれる。７は撮像装置１００に取り込む光束を制御する絞り制御回路であり、図１の絞り装置２０３を制御する。８は撮像装置１００の状態を表示する表示装置であり、図１のファインダ表示部１１５および外部表示部１１６を含む。９は内蔵ストロボ１０８を制御するストロボ制御回路、１０は撮像装置１００の設定状態を格納するための記憶回路、１１は撮像処理を行うための撮像回路、１２はレンズ２００以外のアクセサリと通信するための通信回路、１３は撮像装置１００に装着されるレンズ２００と通信を行うためのレンズ通信回路である。１４（ＳＷ１）は撮像準備動作を開始するためのスイッチ、１５（ＳＷ２）は撮像を開始するためのスイッチである。１６は内蔵ストロボ（図１の内蔵ストロボ１０８に相当）であり、外部ストロボ４００の未装着時に被写体を撮像時に照明するのみでなく、焦点検出時にも、被写体を照射する補助光としての機能も持っている。
【００２２】
レンズ２００は、２１〜２９の構成要素を具備している。２１はレンズ２００の制御を司るマイクロプロセッサ（図１のレンズ制御回路２０１に相当）、２２はレンズ２００の設定値を保持する記憶回路、２３はレンズ２００の駆動を行うレンズ駆動回路、２４はレンズ２００の位置検出を行うレンズ位置検出回路、２５はレンズ２００の設定されている焦点距離を検出するレンズ焦点距離検出回路である。２６は図１の絞り装置２０３に含まれ、絞りを駆動する絞り駆動回路、２７はレンズ２００に装着されている付属品を検知する付属品検知回路、２８はレンズ２００に装着されている付属品を検知する付属品検知スイッチ、２９は撮像装置１００及びレンズ２００に装着される付属品との通信を行うためのレンズ通信回路である。
【００２３】
本実施例において、レンズ通信回路２９は、撮像装置１００からの制御命令を通信すると共に、レンズ２００に保持されている形状情報や、レンズ２００に装着されている付属品情報、レンズ設定値などを通信するように構成されている。
【００２４】
外部ストロボ４００は、４１〜５１の構成要素を具備している。４１は付属品である外部ストロボの制御を司るマイクロプロセッサ（図１の外部ストロボ制御回路４０１に相当）、４２は撮像装置１００との通信を行うための通信回路、４３は外部ストロボ４００の設定値を保持する記憶回路、４４は外部ストロボ４００が装着されている撮像装置１００及びレンズ２００の状態に合わせてストロボ照射範囲を変更する照射角変更部、４５はストロボ照射範囲の設定値を検出するストロボ照射角検出部である。４６は外部ストロボ４００の発光量を直接モニタする発光量モニタ部、４７はストロボ発光量の制御を行う発光量制御回路、４８はストロボ充電を行うストロボ充電回路、４９は外部ストロボ４００の状態設定を行うための設定部、５０は外部ストロボ４００の設定状態を表示するための表示部、５１は外部ストロボ４００に内蔵されている赤外補助光部（図１の赤外補助光部４０６に相当）である。
【００２５】
本実施例において、通信回路４２は外部ストロボ４００の設定情報及び制御情報を通信するように構成されており、撮像装置１００からの指示に基づき赤外補助光部５１より赤外光が投光されるように構成されている。
【００２６】
レンズフード３００は、以下の６０,６１の構成要素を具備している。６０はフードに存在しているフード通信回路、６１はフードの情報を記憶している記憶回路であり、該記憶回路６１から読み出した情報をフード通信回路６０に入力し、レンズ通信回路２８との通信を行う構成になっている。
【００２７】
次に、上記構成の撮像装置１００での画像条件設定処理について、図３のフローチャートにより説明する。
【００２８】
図３において、まず、ステップＳ１００にて、不図示のブラケット撮影スイッチがオンしているか否かを判定し、ブラケット撮影スイッチがオンしていると判定してステップＳ１１０へ進み、ブラケット撮影スイッチがオンしていないと判定した場合はメインルーチンに復帰して、通常の制御を行う。
【００２９】
ブラケット撮影スイッチがオンしていると判定してステップＳ１１０へ進むと、撮像画像ずらし量であるピッチ設定操作がなされたか否かの判定を行い、ピッチ設定操作が検出されたと判定した場合はステップＳ１２０へ進み、焦点ずらし量の設定を行ってステップＳ１３０へ進む。一方、ピッチ設定操作が検出されていない場合はステップＳ１３０へ直ちに進む。
【００３０】
ステップＳ１３０では、撮像枚数の設定を行う撮像枚数の設定操作がなされたか否かの判定を行い、撮像枚数の設定操作が検出された場合はステップＳ１４０へ進み、撮像装置１００に撮像枚数の設定を行い、ステップＳ１５０へ進む。一方、撮像枚数の設定操作が検出されていない場合は直ちにステップＳ１５０へ進む。
【００３１】
ステップＳ１５０では、複数枚撮影する画像焦点位置の中心値を設定するオフセット設定操作がなされたか否かの判定を行い、オフセット設定操作が検出された場合はステップＳ１６０へ進み、撮像装置１００に焦点位置の中心値のオフセット量を設定し、ステップＳ１７０へ進む。一方、オフセット設定操作が検出されない場合は直ちにステップＳ１７０へ進む。ステップＳ１７０では、設定された設定条件を表示し、メインルーチンへ復帰する。
【００３２】
次に、上記構成の撮像装置１００での撮像処理について、図４のフローチャートを用いて説明する。
【００３３】
図４において、まず、ステップＳ２００にて、ブラケット撮影モードであるか否かの判定を行い、ブラケット撮影モードであると判定した場合はステップＳ２２０以降の処理へ進み、ブラケット撮影モードではないと判定した場合はステップＳ２０５以降の処理へ進む。
【００３４】
まず、ブラケット撮影モードではないと判定した場合について説明する。この場合は上記のようにステップＳ２００からステップＳ２０５へ進み、ステップＳ２０５にて、焦点検出処理を行う。そして、次のステップＳ２０６にて、撮像光学系であるレンズの駆動を行い、続くステップＳ２１０にて、通常の撮像処理を行い、メインルーチンに復帰する。
【００３５】
次に、ブラケット撮影モードであると判定した場合について説明する。この場合は上記のようにステップＳ２００からステップＳ２２０へ進み、ステップＳ２２０にて、ブラケット撮影条件の取得を行う。そして、次のステップＳ２２５にて、焦点検出処理を行う。
【００３６】
ここで、上記ステップＳ２２５にて実行される焦点検出処理の詳細を、図５のフローチャートを用いて説明する。
【００３７】
図５において、まずステップＳ５００では、受光部の選択モードが自動選択モードであるか否かの判定を行い、受光部の選択モードが自動選択モードであると判定した場合はステップＳ５１０以降の処理へ進み、選択モードが自動選択モードではなく、手動選択モードであると判定した場合はステップＳ５６０以降の処理へ進む。
【００３８】
まず、受光部の選択モードが自動選択モードであると判定した場合について説明する。この場合は上記のようにステップＳ５００からステップＳ５１０へ進み、ステップＳ５１０にて、焦点検出装置４に具備されている複数の受光部の蓄積を開始し、次のステップＳ５２０にて、蓄積を開始した全受光部の蓄積が完了したか否かの判定を行う。ここで全受光部の蓄積が完了していない場合は完了するまで待機し、その後、全受光部の蓄積が完了するとステップＳ５３０へ進み、各受光部の像データの読み出しを行う。そして、次のステップＳ５４０にて、各受光部のデフォーカス量の演算を行い、続くステップＳ５５０にて、検出したデフォーカス量の中から焦点調節制御に用いるデフォーカス量を決定し、図４のフローへ復帰する。
【００３９】
次に、上記ステップＳ５００にて受光部の選択モードが手動選択モードであると判定した場合について説明する。この場合はステップＳ５００からステップＳ５６０へ進み、ステップＳ５６０にて、焦点検出装置４に具備された複数の中より選択された受光部の蓄積を開始し、次のステップＳ５７０にて、蓄積を開始した、選択された受光部の蓄積が完了したか否かの判定を行い、選択された受光部の蓄積が完了していない場合は完了するまでこのステップで待機する。その後、選択された受光部の蓄積完了を検出するとステップＳ５８０へ進み、選択された受光部の像データの読み出しを行い、続くステップＳ５９０にて、選択された受光部のデフォーカス量の演算を行い、図４のフローへ復帰する。
【００４０】
図４の説明に戻り、上記ステップＳ２２５での焦点検出処理が終了するとステップＳ２３０へ進み、初期撮影焦点位置の算出を行う。そして、次のステップＳ２４０にて、撮像光学系であるレンズ２０２の駆動を行い、続くステップＳ２５０にて、画像取得のための撮像処理を実行する。
【００４１】
ここで、上記ステップＳ２５０にて実行される撮像装置１００での画像取得処理の詳細を、図６のフローチャートを用いて説明する。
【００４２】
図６において、まず、ステップＳ２０００にて、撮像光束をファインダ光学系へ向けて偏向しているミラー１０４，１０５の待避を行い、次のステップＳ２０１０にて、レンズ２００の絞りを所定値まで駆動する。次のステップＳ２０２０では、撮像時に内蔵ストロボ１０８もしくは外部ストロボ４００の使用を行うか否かの判定を行い、いずれかのストロボを使用すると判定した場合はステップＳ２０３０へ進み、一方、ステップＳ２０２０にていずれのストロボも使用しないと判定した場合はステップＳ２０２５へ進む。
【００４３】
上記ステップＳ２０２０にていずれのストロボも使用しないと判定してステップＳ２０２５へ進むと、ここではシャッタ装置２０３に含まれるシャッタ部材を開放して撮像を開始し、後述のステップＳ２０８０へ進む。
【００４４】
一方、上記ステップＳ２０２０にてストロボを使用すると判定してステップＳ２０３０へ進むと、ここではシャッタ部材を開放して撮像を開始し、次のステップＳ２０４０にて、ストロボの調光制御を開始し、続くステップＳ２０５０にて、ストロボの発光を開始する。続くステップＳ２０６０では、ストロボ光が所定量照射されたか否かの判定を行い、所定値以下であると判定した場合は再度発光量の判定を行う。その後、ストロボ光量が所定値に達するとステップＳ２０７０へ進み、ストロボの発光を停止してステップＳ２０８０へ進む。
【００４５】
ステップＳ２０８０へ進むと、シャッタ部材を閉鎖して撮像を終了し、次のステップＳ２０９０にて、レンズ絞りの開放処理を行う。そして、次のステップＳ２１００にて、ミラー１０４，１０５の復帰処理を行い、続くステップＳ２１１０にて、撮影完了処理を行い、図４のフローへ復帰する。
【００４６】
再度図４の説明に戻り、上記ステップＳ２５０での画像取得処理を終了するとステップＳ２６０へ進み、上記ステップＳ２５０にて撮像を行った撮像画像に対して、撮像条件のデータを付加する。そして、次のステップＳ２６５にて、最適画像抽出処理を実行する。
【００４７】
ここで、上記ステップＳ２６５にて実行される撮像装置１００での最適画像抽出処理の詳細を、図７のフローチャートを用いて説明する。
【００４８】
図７において、まず、ステップＳ３００では、ブラケット撮影中であるか否かの判定を行い、ブラケット撮影中ではないと判定した場合は、メインルーチンへ復帰する。一方、ブラケット撮影中であると判定した場合はステップＳ３１０以降の処理へ進む。
【００４９】
ブラケット撮影中であると判定してステップＳ３１０へ進むと、ここでは撮像時の焦点検出領域（焦点検出エリア）の検出を行い、次のステップＳ３２０にて、撮像画像から焦点検出エリアと略同一な領域の画像を抽出する。そして、次のステップＳ３３０にて、検出したエリアのコントラスト情報の演算を行う。
【００５０】
上記ステップＳ３３０におけるコントラスト情報の演算としては、以下の様なものが考えられる。上記ステップＳ３３０におけるコントラスト情報は、焦点検出装置４の評価のための評価値として用いるので、該焦点検出装置４での焦点検出成分の存在している方向のコントラスト情報を算出することで、該焦点検出装置で検出を行った像と同等の像でのコントラスト情報の評価を行うように構成できる。この場合、焦点検出成分方向は、位相差検出方式の焦点検出装置４では、２像の相関演算方向となる。また、焦点検出装置４の検出領域全体のコントラスト成分を評価することにより、取得した画像の焦点検出エリアでの画像のコントラストの評価を行うことが可能となる。なお、コントラスト情報の演算について上記したが、この演算方法に限るものではない。
【００５１】
上記ステップＳ３３０にて検出したエリアのコントラスト情報の演算を行った後はステップＳ３４０へ進み、コントラストが最大となる画像の抽出を行い、次のステップＳ３５０にて、画像選択処理を行い、図４のフローへ復帰する。
【００５２】
ここで、上記ステップＳ３５０にて実行される撮像装置１００での画像選択処理の詳細を、図８のフローチャートを用いて説明する。
【００５３】
図８において、まず、ステップＳ４００にて、画像選択フラグを付加するモードであるか否かの判定を行い、画像選択フラグを付加するモードであると判定した場合はステップＳ４１０へ進み、選択画像に対してフラグを付加して画像を不図示の記憶媒体に保存し、図４のフローへ復帰する。
【００５４】
また、上記ステップＳ４００にて画像選択フラグが付加しないモードであると判定した場合はステップＳ４２０へ進み、ここでは選択画像を不図示の記憶媒体に保存するモードであるか否かの判定を行う。そして、ここで選択画像のみ保存するモードであると判定した場合はステップＳ４３０へ進み、選択画像のみの保存を行い、図４のフローへ復帰する。
【００５５】
また、上記ステップＳ４２０にて選択画像のみ保存するモードではないと判定した場合はステップＳ４４０へ進み、ピント情報と共に画像を保存し、図４のフローへ復帰する。
【００５６】
再度図４の説明に戻り、上記ステップＳ２６５にて最適画像抽出処理を終了した後はステップＳ２７０へ進み、ここではブラケット撮影の全条件の撮像が終了しているか否かの判定を行い、全条件の撮像が終了していないと判定した場合はステップＳ２８０へ進み、未撮影の焦点位置の算出を行い、ステップＳ２４０に戻って、レンズ駆動以降の処理を行う。一方、ステップＳ２８０にて全条件の撮影が終了していると判定した場合には、メインルーチンへ復帰する。
【００５７】
以上の実施例によれば、位相差検出方式の焦点検出装置４で検出された焦点位置に対して複数のピント位置に焦点状態を変化させ、複数の画像を撮像するブラケット撮影モードを設定可能な撮像装置において、前記ブラケット撮影モード時には、撮像時に使用した焦点検出エリアの撮像画像を抽出し、適切な焦点状態の画像であるかの判定を行う構成にしているので、位相差検出での高速な焦点検出動作を継承しつつも、適切な焦点状態の画像を得ることができる撮像装置を提供可能となる。
【００５８】
また、選択された画像を不図示の記憶媒体に保存するようにしているので、画像記録時間の短縮、および、無駄な画像の排除を実現することができる撮像装置を提供可能となる。
【００５９】
また、選択された画像に対してフラグを付加（設定）して不図示の記憶媒体に保存するようにしているので、画像選択の効率化を実現することができる撮像装置を提供可能となる。
【００６０】
（変形例）
上記実施例において、画像消去操作をする際に、消去対象画像にフラグを付加すると共に、該フラグに優先度をつけ、該優先度の低い画像を、まず消去対象として設定することにより、不要画像の選択を容易とし、撮影容量の確保を迅速に行うことができる撮像装置とすることができる。
【００６１】
また、選択された画像として付加されたフラグの撮像画像の焦点状態を、焦点検出装置４における焦点検出制御にフィードバックさせるようにすることにより、位相差焦点検出装置の検出精度をより向上させた撮像装置とすることができる。
【００６２】
また、取得された各画像のコントラスト情報は、画像の保存の際に当該画像の情報に付加して不図示の記憶媒体に保存するようにすることで、ユーザにとって、当該保存された画像のコントラスト情報を知ることができる。
【００６３】
さらに、取得された各画像のコントラスト情報は、外部表示部１１６に表示するようにすることによって、ユーザにとっては、当該表示により画像のコントラスト情報を知ることができる。
【図面の簡単な説明】
【００６４】
【図１】本発明の一実施例に係わる撮像システムの概略を示す構成図である。
【図２】図１の撮像システムの回路構成を示すブロック図である。
【図３】本実施例に係わる画像装置での撮像条件設定処理を示すフローチャートである。
【図４】本実施例に係わる撮像装置での画像処理を示すフローチャートである。
【図５】本実施例に係わる撮像装置での焦点検出処理を示すフローチャートである。
【図６】本実施例に係わる撮像装置での画像取得処理を示すフローチャートである。
【図７】本実施例に係わる撮像装置での最適画像抽出処理を示すフローチャートである。
【図８】本実施例に係わる撮像装置での画像選択処理を示すサブルーチンのフローチャートである。
【符号の説明】
【００６５】
１，２１  マイクロプロセッサ
４        焦点検出装置
１１      撮像回路
２３      レンズ駆動回路
１００    撮像装置
１０６    撮像素子
１０８    内蔵ストロボ
１０９    焦点検出装置
２００    交換式のレンズ
４００    外部ストロボ
３００    レンズフード
４００    外部ストロボ
【図１】
2006303966.tif 000003
【図２】
2006303966.tif 000004
【図３】
2006303966.tif 000005
【図４】
2006303966.tif 000006
【図５】
2006303966.tif 000007
【図６】
2006303966.tif 000008
【図７】
2006303966.tif 000009
【図８】
2006303966.tif 000010